(57)【要約】【課題】試験体の周囲がコンクリート等の固体で固められた状態においても、試験体と固体との境界部分の腐食量を計測できる超音波探傷装置を得る。【解決手段】励振信号に基づいて生成した超音波を試験体中に送信し、試験体中を伝搬した超音波の反射波を受信して反射波電気信号を出力する送受信用探触子１と、反射波電気信号のエコー高さの周波数特性の特異点を示す特徴周波数に対応する試験体の空隙の深さを空隙データとしてあらかじめ記憶する記憶部３５を有し、出力した励振信号に応じて受信した反射波電気信号に基づいて、反射波電気信号のエコー高さの周波数特性を求め、周波数特性から特徴周波数を特定し、特徴周波数に対応する空隙の深さを空隙データに基づいて求めることにより試験体と試験体に接触している固体との境界面における腐食の深さを推定する送受信制御装置３とを備える。【選択図】図１
2006162377.tif 000002
【特許請求の範囲】
【請求項１】
励振信号に基づいて生成した超音波を試験体中に送信し、前記試験体中を伝搬した超音波の反射波を受信して反射波電気信号を出力する送受信用探触子と、
反射波電気信号のエコー高さの周波数特性の特異点を示す特徴周波数に対応する試験体の空隙の深さを空隙データとしてあらかじめ記憶する記憶部を有し、前記励振信号を生成して前記送受信用探触子に出力し、前記送受信用探触子からの前記反射波電気信号に基づいて、前記反射波電気信号のエコー高さの周波数特性を求め、前記周波数特性から特異点を示す特徴周波数を特定し、特定した前記特徴周波数に対応する空隙の深さを前記記憶部に記憶された前記空隙データに基づいて求めることにより前記試験体と前記試験体に接触している固体との境界面における腐食の深さを推定する送受信制御装置と
を備えたことを特徴とする超音波探傷装置。
【請求項２】
請求項１に記載の超音波探傷装置において、
前記試験体中を伝搬した前記超音波の透過波を受信して透過波電気信号を出力する受信用探触子をさらに備え、
前記送受信制御装置は、前記受信用探触子からの前記透過波電気信号のエコー高さが所定の閾値以下である場合には、前記送受信用探触子から試験体に送信した超音波に異常があると判断する
ことを特徴とする超音波探傷装置。
【請求項３】
請求項１または２に記載の超音波探傷装置において、
前記送受信制御装置は、
キャリア周波数の異なる複数のバースト信号を前記励振信号として発生させる任意波形発生部と、
キャリア周波数の異なる前記励振信号を前記送受信用探触子に順次出力する送信部と、
前記送受信用探触子からの前記反射波電気信号を増幅する受信部と、
増幅された前記反射波電気信号のエコー高さを前記キャリア周波数と対応づけて周波数特性として前記記憶部に記憶させ、前記周波数特性から特異点を示す特徴周波数を特定し、特定した前記特徴周波数に対応する空隙の深さを前記記憶部に記憶された前記空隙データに基づいて求める信号処理部と
を備えたことを特徴とする超音波探傷装置。
【請求項４】
請求項３に記載の超音波探傷装置において、
前記信号処理部は、前記周波数特性においてエコー高さが極大値を示す周波数を特異点を示す特徴周波数として特定することにより腐食の深さを推定することを特徴とする超音波探傷装置。
【請求項５】
請求項３に記載の超音波探傷装置において、
前記信号処理部は、前記周波数特性においてエコー高さが極小値を示す周波数を特異点を示す特徴周波数として特定することにより腐食の深さを推定することを特徴とする超音波探傷装置。
【請求項６】
請求項１または２に記載の超音波探傷装置において、
前記送受信制御装置は、
広い周波数帯域を有する信号を前記励振信号として発生させる任意波形発生部と、
前記励振信号を前記送受信用探触子に出力する送信部と、
前記送受信用探触子からの前記反射波電気信号を増幅する受信部と、
増幅された前記反射波電気信号の周波数スペクトラムを計算し、前記周波数スペクトラムから特異点を示す特徴周波数を特定し、特定した前記特徴周波数に対応する空隙の深さを前記記憶部に記憶された前記空隙データに基づいて求める信号処理部と
を備えたことを特徴とする超音波探傷装置。
【請求項７】
請求項６に記載の超音波探傷装置において、
前記信号処理部は、前記周波数スペクトラムが極大値を示す周波数を特異点を示す特徴周波数として特定することにより腐食の深さを推定することを特徴とする超音波探傷装置。
【請求項８】
請求項６に記載の超音波探傷装置において、
前記信号処理部は、前記周波数スペクトラムが極小値を示す周波数を特異点を示す特徴周波数として特定することにより腐食の深さを推定することを特徴とする超音波探傷装置。
【発明の詳細な説明】
【技術分野】
【０００１】
本発明は、固体と固体との接合部を非破壊で検査する超音波探傷装置に関するもので、特に、センサを直接アクセスできない部分における腐食量を計測する超音波探傷装置に関する。なお、本願において、「腐食」および「空隙」という文言を用いているが、両者は同じものを指すものとする。
【背景技術】
【０００２】
この種の超音波探傷装置を実現するための従来の方法として、パイプの架台部分における外面腐食の腐食量を求めるものがある（例えば、特許文献１参照）。架台で覆われた試験体の部分に腐食がある場合は、センサを腐食部に直接アクセスできない状態にあり、当然、目視検査もできない。
【０００３】
このような場合には、試験体の表面の一端から送信用の表面波探触子により表面波を発生させ、試験体の表面の他端において、架台部分を伝搬した表面波を受信用の表面波探触子により受信し、エコーを記録する。そして、あらかじめ作成しておいたエコー高さとノッチの深さとの相関から、腐食の深さを推定するというものである。
【０００４】
【特許文献１】特開２０００−５５８９０号公報（第１頁、図１）
【発明の開示】
【発明が解決しようとする課題】
【０００５】
しかしながら、従来技術には次のような課題がある。この検査方法は、送信用の表面波探触子および受信用の表面波探触子のそれぞれと、試験体との接触状態によりエコー高さが変化するという難点をもつ。特許文献１には、接触部分の伝搬損失を補正することについても記載されているが、表面波探触子における伝搬損失を求めるには、接触状態を厳しく管理する必要がある。言い換えれば、接触状態を厳しく管理しないと、特許文献１で示されている方法を腐食量の推定に適用することができない。
【０００６】
さらに、この検査方法は、パイプの架台部分の外面腐食を想定したものであり、パイプの周囲がコンクリート等の固体で固められた状態までは想定していない。パイプの周囲がコンクリート等の固体で固められた状態では、表面波が固体中へ漏洩していくので、伝搬に伴う減衰が大きい。このため、受信用の表面波探触子で受信されるエコーは、ＳＮ比が非常に悪い信号となり、試験体とコンクリート等の固体との境界部分の腐食量を計測することが困難になるという問題がある。
【０００７】
本発明は上述のような課題を解決するためになされたもので、試験体の周囲がコンクリート等の固体で固められた状態においても、試験体とコンクリート等の固体との境界部分の腐食量を計測できる超音波探傷装置を得ることを目的としている。
【課題を解決するための手段】
【０００８】
本発明に係る超音波探傷装置は、励振信号に基づいて生成した超音波を試験体中に送信し、試験体中を伝搬した超音波の反射波を受信して反射波電気信号を出力する送受信用探触子と、反射波電気信号のエコー高さの周波数特性の特異点を示す特徴周波数に対応する試験体の空隙の深さを空隙データとしてあらかじめ記憶する記憶部を有し、励振信号を生成して送受信用探触子に出力し、送受信用探触子からの反射波電気信号に基づいて、反射波電気信号のエコー高さの周波数特性を求め、周波数特性から特異点を示す特徴周波数を特定し、特定した特徴周波数に対応する空隙の深さを記憶部に記憶された空隙データに基づいて求めることにより試験体と試験体に接触している固体との境界面における腐食の深さを推定する送受信制御装置とを備えたものである。
【発明の効果】
【０００９】
本発明によれば、試験体の周囲がコンクリート等の固体で固められた状態においても、反射波電気信号のエコー高さの周波数特性を求めることにより、試験体とコンクリート等の固体との境界部分の腐食量を推定することができる超音波探傷装置を得ることができる。
【発明を実施するための最良の形態】
【００１０】
以下、本発明の超音波探傷装置の好適な実施の形態につき図面を用いて説明する。
【００１１】
実施の形態１．
図１は、本発明の実施の形態１における超音波探傷装置の構成図である。図１において、超音波探傷装置は、送受信用探触子１、受信用探触子２、および送受信制御装置３で構成される。また、被検査対象である試験体１１は、その表面の一部がコンクリート等の固体１２で固められた状態にある。ここで、試験体１１は、例えば、パイプあるいは鋼板などに相当する。さらに、空隙１３は、試験体１１と固体１２との間に発生した試験体１１の腐食を示している。
【００１２】
送受信用探触子１は、試験体１１と接触するように配置され、電気信号として送受信制御装置３から受信した励振信号により励振されることにより、励振信号を超音波に変換する。そして、送受信用探触子１は、試験体１１に空隙１３が発生していないかを調べるために、変換した超音波を試験体１１内に送信する。さらに、送受信用探触子１は、試験体１１内を伝搬する超音波が空隙１３により散乱された反射波を受信して反射波電気信号に変換して、この反射波電気信号を送受信制御装置３に対して出力する。
【００１３】
一方、受信用探触子２は、固体１２を挟んで送受信用探触子１と対向する位置に、試験体１１と接触するように配置される。そして、受信用探触子２は、試験体１１内を伝搬する超音波の透過波を受信して透過波電気信号に変換して、この透過波電気信号を送受信制御装置３に対して出力する。
【００１４】
送受信制御装置３は、任意波形発生部３１、送信部３２、受信部３３、信号処理部３４、および記憶部３５で構成される。任意波形発生部３１は、任意のキャリア周波数ｆ０によるバースト信号を発生させることができる波形発生部である。図２は、本発明の実施の形態１における任意波形発生部３１で発生される信号波形の説明図である。図２の波形は、信号の立ち上がり部分および立ち下がり部分に振幅変調を掛けたものを示しており、この信号を、以下の説明においては、「変調バースト信号」と呼ぶことにする。
【００１５】
任意波形発生部３１によって発生されたあるキャリア周波数ｆ０を有する変調バースト信号は、送信部３２で増幅され、送受信用探触子１を励振するための励振信号となる。そして、送信部３２は、送受信用探触子１に対して、この励振信号を出力する。
【００１６】
また、受信部３３は、送信部３２から送信されたあるキャリア周波数ｆ０を有する変調バースト信号に対応した受信信号として、送受信用探触子１からの反射波電気信号および受信用探触子２からの透過波電気信号を受信し、増幅したそれぞれの信号を信号処理部３４に出力する。
【００１７】
信号処理部３４は、増幅された反射波電気信号および透過波電気信号をＡ／Ｄ変換してディジタル信号に変換し、反射波のエコーおよび透過波のエコーのディジタル信号を生成する。さらに、信号処理部３４は、ディジタル信号である反射波のエコーおよび透過波のエコーを、キャリア周波数ｆ０と関連づけて周波数特性データとして記憶部３５に記憶させる。
【００１８】
このようにして、送受信制御装置３は、上述の一連の動作を行うことにより、ある１つのキャリア周波数ｆ０に関する周波数特性データを記憶部３５に記憶させることができる。そして、送受信制御装置３は、この一連の動作を変調バースト信号のキャリア周波数ｆ０を変えて繰り返し行うことにより、複数のキャリア周波数ｆ０に対する反射波のエコー、および透過波のエコーのディジタル信号を取得でき、周波数特性データとして記憶部３５に記憶させることができる。
【００１９】
ここで、キャリア周波数ｆ０を変える範囲および繰り返しの回数などは、送受信用探触子１および受信用探触子２の周波数特性に基づいて、あらかじめ決めておくことができる。次に、このようにして収集された周波数特性データに基づいて、空隙１３の深さを推定する方法について説明する。
【００２０】
試験体１１の厚さが、試験体１１内を伝搬する超音波の波長と同程度〜数倍程度である場合には、試験体１１内を伝搬する超音波は、板波（すなわち、薄い板状の物体全体が振動しながら伝搬する波）となる。送受信用探触子１が、通常用いられている斜角探触子と同じタイプである場合には、板波の振動方向は、図１の紙面と平行となる（すなわち、板波は、紙面に対して上下方向あるいは左右方向の振動となる）。この板波は、Ｌａｍｂ波と呼ばれるが、以下の説明においては、簡単のため「板波」と称して説明する。
【００２１】
試験体１１内を伝搬する板波は、複雑な伝搬形態を示す。また、周波数によってその伝搬形態は異なる。この様子を音場シミュレーションによって確認した結果を、次に示す。図３は、本発明の実施の形態１における探傷に関するシミュレーション条件を示す図であり、送受信用探触子１および受信用探触子２の入射角をともに５７°としている。
【００２２】
送受信用探触子１および受信用探触子２のくさびの材料としては、ポリスチロールを仮定しており、試験体１１の材料としては、厚さ９ｍｍの鋼板を仮定した。さらに、コンクリート等の固体１２としては、長さ３００ｍｍのモルタルを仮定した。また、腐食の深さを模擬して、モルタルと鋼板との間に深さｄの空隙１３を設けている。
【００２３】
図４は、本発明の実施の形態１におけるキャリア周波数ｆ０＝０．６ＭＨｚの変調バースト信号を仮定し、空隙の深さｄを２ｍｍとした場合の音場シミュレーション結果である。なお、図４は、送受信用探触子１を励振してから１８０μｓ〜２４０μｓの音場を、１０μｓ毎の７つのスナップショットで示しており、一番上の図が送受信用探触子１を励振してから１８０μｓ後の音場であり、一番下の図が２４０μｓ後の音場である。
【００２４】
音場を見やすくするため、モルタルがある部分を拡大して表示しており、送受信用探触子１および受信用探触子２は図示していない。さらに、鋼板内を伝搬する板波を濃淡で示している。また、モルタル内に漏洩する超音波も、濃淡で示している。時間が経過するとともに、白っぽく見える部分が右側に移動しているが、これが超音波の伝搬を示すものである。
【００２５】
図４において、１８０μｓの段階では、図の左側から伝搬してきた板波がモルタルのある領域まで到達し、すでにモルタル内にエネルギーを漏洩している様子を示している。次に、１９０μｓの段階では、板波が空隙１３の左側に到達しているが、この空隙の深さｄが２ｍｍという小さな深さであるため、空隙の左側ではあまり板波は散乱されていない。
【００２６】
次に、２００μｓの段階では、板波が空隙１３の下に潜り込み、空隙１３の右側まで到達している様子を示している。次に、２１０μｓの段階では、板波が空隙１３の右側で散乱される様子を示しており、散乱波の強さは、空隙１３の左側における散乱と比較すると、かなり強くなっている。
【００２７】
通常の超音波探傷において、超音波の伝搬を妨げるような障害物がない場合には、超音波は、散乱されないが、板波の場合は、伝搬する鋼板の板厚が変化しただけ散乱が生じる。これは、板波固有の特徴である。また、板厚の変化によって生じる散乱の強さは、伝搬する鋼板の板厚、周波数、空隙の深さｄによって変化すると考えられる。
【００２８】
散乱された板波は、図４中では左方向へ（すなわち、送受信用探触子１の方向へ）伝搬していき、反射波のエコーとして送受信用探触子１で受信される。一方、透過した板波は、図４中では右方向へ（すなわち、受信用探触子２の方向へ）伝搬していき、透過波のエコーとして受信用探触子２で受信される。
【００２９】
図５は、本発明の実施の形態１におけるシミュレーションで得られた反射波のエコーおよび透過波のエコーを示す図である。図５に示すように、上記シミュレーションの条件では、反射波と透過波がエコーとして受信され、このような反射波あるいは透過波の波形の振幅のピーク値がエコー高さに相当する。図６は、本発明の実施の形態１における板波の反射波および透過波の伝搬経路を示す図である。図に示すように、板波が散乱される場所は、空隙の左側と右側の２箇所である。
【００３０】
このように、空隙１３がある場合には、反射波および透過波がエコーとして受信されるが、そのエコー高さは、板厚、周波数、空隙の深さｄによって変化すると考えられる。そこで、板厚を９ｍｍに固定し、キャリア周波数ｆ０および空隙の深さｄを変化させて同様のシミュレーションを行い、エコー高さの周波数特性を求めた。
【００３１】
図７は、本発明の実施の形態１における反射波のエコー高さの周波数特性を示す図である。この周波数特性は、キャリア周波数ｆ０を０．２ＭＨｚから１．０ＭＨｚまで０．１ＭＨｚステップで変化させた場合の反射波のエコー高さの周波数特性を示しており、空隙１３の深さｄをパラメータとしている。空隙１３の深さｄは、０、２、３、４、６ｍｍの５通りである。
【００３２】
次に、図７の反射波のエコー高さの周波数特性について説明する。０．５ＭＨｚ以下の低周波数領域では、空隙の深さｄが大きい程、エコー高さが大きくなっている。この低周波数領域で受信されているエコーは、板波が空隙の左側で散乱された反射波に相当し、通常の超音波探傷と同様に障害物の大きさに対応した大きさのエコーが受信されている。なお、ｄ＝０ｍｍでもエコーが受信されているように見えるが、これは、モルタルの左端部で散乱された板波であるので、無視してよい。
【００３３】
一方０．５ＭＨｚ以上の高周波数領域では、鋼板の底面付近にエネルギーが集中する特殊なモードで板波が伝搬していく。この様子を、図８を用いて説明する。図８は、本発明の実施の形態１におけるキャリア周波数ｆ０＝０．８ＭＨｚの変調バースト信号を仮定し、空隙の深さｄを４ｍｍとした場合の音場シミュレーション結果である。すなわち、左記の図４と比較すると、キャリア周波数ｆ０を０．６ＭＨｚから０．８ＭＨｚとし、空隙の深さｄを２ｍｍから４ｍｍとしている点が異なる。
【００３４】
図８においては、キャリア周波数が高いために、板波のエネルギーが鋼板の底面に集中している様子が分かる。鋼板の底面付近にエネルギーが集中するので、モルタル内に漏洩するエネルギーを抑制でき、その結果、伝搬に伴う減衰量が小さくなるので、長距離伝搬可能な板波となる。すなわち、周波数が高いと減衰が大きいという一般的な考えとは逆の現象が起こる。
【００３５】
このような現象における板波では、モルタルと鋼板との境界面付近のエネルギーが小さいため、空隙１３の深さｄが小さいと、空隙１３の左側では殆ど散乱されない。図８は、ｄ＝４ｍｍの場合の図であるが、例えば、ｄ＝１ｍｍ程度であると、板波は、空隙１３の左側で殆ど散乱されずに、空隙１３の下に潜るような状態となる。
【００３６】
空隙１３の下に潜った板波は、鋼板の底面付近にエネルギーが集中するような特殊なモードから、通常の板波のモードに変換される。そして、板波は、空隙１３の右側にさしかかったときに散乱され、大きな反射波が発生する。０．５ＭＨｚ以上の高周波数領域で受信されたエコーは、このように空隙１３の右側で散乱された反射波である。
【００３７】
空隙１３の右側で散乱される強度は、伝搬する鋼板の板厚、周波数、空隙１３の深さｄによって変化すると考えられるので、図７に示すような複雑な周波数特性となる。例えば、ｄ＝２ｍｍの場合には、０．６ＭＨｚのときに極大値を示し、ｄ＝４ｍｍの場合には、０．８ＭＨｚで極大値を示す。
【００３８】
次に、反射波のエコー高さの周波数特性を用いた空隙１３の深さｄの計測方法を説明する。上述したように、送受信用探触子１で受信される反射波のエコーは、０．５ＭＨｚ以上の高周波数領域では、図７に示したような複雑な周波数特性を示す。この特性は、板厚、周波数、および空隙１３の深さｄに依存するが、これらのパラメータの内、検査時に不明なものは空隙１３の深さｄだけである。
【００３９】
すなわち、検査を行う前に、あらかじめ図７の周波数特性を求めておけば、空隙１３の深さｄを求めることができる。例えば、キャリア周波数ｆ０を変化させて反射波を送受信用探触子１で受信し、反射波のエコー高さの周波数特性を求め、極大値を示す周波数が０．６ＭＨｚの場合には、ｄ＝２ｍｍと計測結果を出力し、極大値を示す周波数が０．８ＭＨｚの場合には、ｄ＝４ｍｍと計測結果を出力するようにする。
【００４０】
また、０．５ＭＨｚ以下の低周波数領域で、通常の超音波探傷と同様に、反射波のエコー高さに応じてｄを求めるという計測方法もある。しかし、エコー高さは、送受信用探触子１と試験体１１との接触状態に大きく依存するので、接触状態を厳しく管理しなければならないという難点がある。
【００４１】
これに対し、０．５ＭＨｚ以上の高周波数領域において、反射波の周波数特性からｄを計測するという方法は、送受信用探触子１と試験体１１との接触状態にあまり依存しない。すなわち、送受信用探触子１と試験体１１との接触状態に応じて、観測される反射波電気信号の振幅の大きさは異なるものの、周波数特性が示す特徴としては、大きな差異が無く計測でき、例えば、極大値を示す周波数は、接触状態に依存せずに同一の値を抽出できる傾向にある。したがって、本発明の超音波探傷装置においては、送受信用探触子１と試験体１１との接触状態を厳しく管理する必要はない。
【００４２】
上述では、反射波のエコー高さの周波数特性について説明してきたが、次に、透過波のエコー高さの周波数特性について説明する。図９は、本発明の実施の形態１における透過波のエコー高さの周波数特性を示す図であり、図７と同様のシミュレーションによって得られた透過波のエコー高さの周波数特性である。
【００４３】
図に示すように、ｄの値によって振幅の変化は多少見られるものの、図７に示した反射波の周波数特性のようにｄの値による差異は見られない。すなわち、透過波のエコー高さの周波数特性を用いて空隙１３の深さｄを計測することは困難である。
【００４４】
しかし、透過波を全く無視して、反射波のエコー高さの周波数特性だけでｄの値を計測することも困難である。その理由を以下に説明する。
【００４５】
反射波のエコー高さの周波数特性だけでｄの値を計測すると、反射波のエコーが受信されていない場合には空隙１３がないものとして「ｄ＝０ｍｍ」と判定する。しかし、送受信用探触子１と試験体１１との接触状態が極端に悪い場合、あるいは送受信用探触子１が故障した場合でも、反射波のエコーは受信されない。すなわち、空隙１３がない場合だけでなく、装置が正常に動作していない場合でも、反射波のエコーは受信されない。したがって、装置が正常に動作しているかどうかをチェックする機能が必要となる。このチェックに、透過波のエコーを用いることができる。
【００４６】
透過波のエコーは、送受信用探触子１と試験体１１との接触状態が極端に悪い場合や、送受信用探触子１が故障した場合には、当然受信されない。しかし、装置が正常に動作している場合には、空隙１３の有無や深さに係わらず、受信される。したがって、透過波のエコーが受信されている場合には「正常」、受信されていない場合には「異常」というチェック機能の判断材料として、透過波のエコーを用いる。
【００４７】
もしも、受信用探触子２により受信された透過波から送受信用探触子１が「異常」であると判断された場合は、オペレータは、送受信用探触子１だけ単体の動作確認を行うか、あるいは送受信用探触子１と試験体１１との接触状態のチェックなどを行い、装置のセットアップをやり直すこととなる。
【００４８】
以上、空隙１３の深さｄの計測方法について述べたが、これはそのまま腐食の深さの計測方法であり、フローチャートを用いて一連の処理を説明する。図１０は、本発明の実施の形態１における超音波探傷装置の腐食量の求め方を説明するためのフローチャートである。なお、計測開始の前に、送受信制御装置３は、空隙１３の深さが既知である試験体１１の反射波の周波数特性をあらかじめ求め、特徴周波数に対応する試験体１１の空隙１３の深さを空隙データとして記憶部３５にあらかじめ記憶しておく。この特徴周波数とは、反射波電気信号のエコー高さの周波数特性の特異点を示す周波数のことであり、例えば、極大値を示す周波数とすることができる。
【００４９】
ステップＳ１００１において、送受信制御装置３内の任意波形発生部３１は、探傷を開始するキャリア周波数を設定する。この時の周波数は、所要の周波数範囲内であればよく、所要の周波数の下限や上限である必要はない。
【００５０】
次に、ステップＳ１００２において、任意波形発生部３１は、設定したキャリア周波数に基づいて変調バースト信号を作成し、送信部３２に送信する。
【００５１】
次に、ステップＳ１００３において、送信部３２は、任意波形発生部３１から受信した変調バースト信号を増幅して出力し、送受信用探触子１を励振する。送受信用探触子１の入射角は、板波が効率よく励振されるような角度に設定する。その結果、試験体１１中へは、板波が伝搬していく。
【００５２】
次に、ステップＳ１００４において、送受信用探触子１および受信用探触子２で、伝搬する板波の反射波および透過波をエコーとして受信する。ここで、受信用探触子２の入射角は、送受信用探触子１の入射角と同じでも構わないし、異なっていても構わない。ただし、試験体１１中を伝搬してきた板波を効率よく受信できるような入射角に設定する。
【００５３】
次に、ステップＳ１００５において、受信部３３は、送受信用探触子１および受信用探触子２で受信されたエコーを増幅し、信号処理部３４に送る。
【００５４】
次に、ステップＳ１００６において、信号処理部３４は、増幅後の反射波のエコーおよび透過波のエコーをＡ／Ｄ変換し、ディジタル信号に変換後のデータを、先のステップＳ１００２で作成した変調バースト信号に対応するキャリア周波数と関連づけて周波数特性データとして記憶部３５に記憶させる。
【００５５】
次に、ステップＳ１００７において、信号処理部３４は、あらかじめ定めておいた複数のキャリア周波数全てを用いて探傷し、複数のキャリア周波数に対する周波数特性データを収集完了したか否かを判断する。周波数特性データの収集が完了していないと判断した場合には、ステップＳ１００８へ進む。一方、周波数特性データの収集が完了したと判断した場合には、ステップＳ１００９へ進む。
【００５６】
なお、あらかじめ定めておいた複数のキャリア周波数とは、送受信用探触子１および受信用探触子２の周波数特性に基づいて決めるものである。例えば、ｆ０＝０．２ＭＨｚ、０．３ＭＨｚ、０．４ＭＨｚ、・・・０．８ＭＨｚ、０．９ＭＨｚ、１．０ＭＨｚのように決める。キャリア周波数の決め方は、場合によって様々であるが、変化をさせる範囲およびその周波数間隔は、図７に示したように、空隙１３の深さによって周波数特性の差異が明らかに表れるように選択する。
【００５７】
周波数特性データの収集が完了していない場合には、ステップＳ１００８において、任意波形発生部３１は、先に設定したキャリア周波数以外の新たなキャリア周波数を設定する。その後、ステップＳ１００２〜Ｓ１００７の処理を繰り返し行うことにより、新たなキャリア周波数に対する周波数特性データを求め、記憶部３５に蓄えることとなる。
【００５８】
このような処理を繰り返すことにより、あらかじめ定めておいた複数のキャリア周波数に対する一通りの周波数特性データがそろった場合には、信号処理部３４によるステップＳ１００９以降の処理に移行する。まず、ステップＳ１００９において、信号処理部３４は、キャリア周波数およびエコーを関連づけた周波数特性データを記憶部３５から読み出す。
【００５９】
次に、ステップＳ１０１０において、信号処理部３４は、読み出した周波数特性データに基づいて、受信用探触子２で透過波のエコーが受信されているか否かを判定する。具体的には、信号処理部３４は、透過波のエコー高さが所定の閾値を超えているかどうかを判定し、閾値を超えていない場合には、異常状態であることをオペレータに対して知らせる。その後、ステップＳ１０１３において、オペレータは、装置のセットアップをやり直すこととなる。
【００６０】
一方、閾値を超えている場合には、信号処理部３４は、装置が正常に動作しているものとしてステップＳ１０１１以降の処理を行う。ステップＳ１０１１において、信号処理部３４は、読み出した周波数特性データに基づいて、キャリア周波数に対する送受信用探触子１で得られた反射波のエコーの高さの周波数特性から特徴周波数を求める。
【００６１】
図１０のフローチャートにおいては、特徴周波数として極大値を示す周波数を求めることとする。すなわち、各キャリア周波数に対する反射波のエコー高さから、エコー高さが極大値を示すキャリア周波数を特定することにより、特徴周波数を求める。
【００６２】
そして、最終的に、ステップＳ１０１２において、信号処理部３４は、反射波のエコーの周波数特性データから特定された極大値を示す周波数に対応して、あらかじめ空隙データとして記憶部３５に記憶されている極大値を示す周波数（特徴周波数）に対応する空隙の深さから、空隙の深さを特定し、特定した空隙の深さを腐食の深さとして腐食量を推定する。
【００６３】
以上が、本発明の実施の形態１の超音波探傷装置による腐食の深さの推定を行う一連の処理であるが、ここで説明を補足する。まず、ステップＳ１００２で作成する変調バースト信号であるが、どの程度振幅変調をかける必要があるのかは、場合によって異なるので、適宜決める必要がある。場合によっては、振幅変調をかけない信号を用いても構わない。
【００６４】
振幅変調をかけることにより、キャリア周波数ｆ０の周波数成分の特性をより正確に得ることができる。これに対して、振幅変調をかけない場合には、振幅変調をかけた場合と比較すると、キャリア周波数ｆ０以外の他の周波数成分の影響が特性として表れやすくはなるものの、発生させる信号を単純化できるメリットがある。
【００６５】
次に、ステップＳ１００８のキャリア周波数の変え方であるが、所要周波数の範囲であれば一様増加や一様減少に変える必要はない。キャリア周波数をランダムに変化させても構わない。勿論、一様増加や一様減少に変化させてもよい。また、周波数間隔も等間隔であっても等間隔でなくても構わない。結果的に、空隙１３の深さによって周波数特性の差異が明らかに表れるようにあらかじめ定められるキャリア周波数を選択することとなる。
【００６６】
さらに、送受信用探触子１および受信用探触子２の周波数特性であるが、これらは、空隙の深さ（すなわち、腐食量）による周波数特性の差異が明確になる程度の広帯域であることが望ましい。また、これらの探触子の周波数特性を補正してエコー高さの周波数特性を求め、この周波数特性から腐食量を求めても構わない。
【００６７】
また、図１あるいは図３において、送受信用探触子１を図の左側に、受信用探触子２を図の右側に設置した場合について説明した。しかしながら、図の右側付近の腐食量を計測したい場合には、２つの探触子の設置位置を交換しても構わない。送受信用探触子１で受信される反射波のエコーを用いて計測するので、腐食の位置が送受信用探触子１に近いほど、ＳＮ比の高い信号が得られる。
【００６８】
また、コンクリート等の固体で覆われた部分の腐食の発生位置が不明である場合には、２つの探触子の設置位置を左右で交換した２通りの周波数特性データを取得して、腐食の深さを推定することもできる。あるいは、受信用探触子２に送受信用探触子１と同じような送受信機能を持たせ、送信部３２から切り換え操作を行うことによっても、２通りの周波数特性データを取得することができる。
【００６９】
さらに、ここでは特徴周波数として周波数特性の極大値を用いて腐食の深さを推定する方法について説明したが、周波数特性の特徴を用いた計測であれば、特徴周波数は極大値にこだわる必要はない。例えば、エコー高さの周波数特性を計算した結果、極小値を用いて腐食量が推定できるのであれば、極小値を特徴周波数として用いることもできる。あるいは、極大値と極小値との組み合わせから腐食量を推定することも可能である。
【００７０】
最後に、送受信用探触子１および受信用探触子２の入射角について説明する。これらの探触子の入射角は、板波を効率よく送信および受信できるように設定する必要があるが、これは、試験体１１の厚さや周波数によって異なる。試験体１１の厚さや、送受信用探触子１および受信用探触子２が動作する周波数帯が変わると、これらに応じて適宜変える必要がある。
【００７１】
実施の形態１によれば、キャリア周波数を変えた変調バースト信号を用いて探傷を行い、キャリア周波数に対する反射波のエコー高さの周波数特性から腐食の深さを推定することができる。さらに、エコー高さの周波数特性から特定される特徴周波数は、探触子と試験体との接触状況に依存しない。これにより、探触子と試験体との接触状況を厳しく管理せずに腐食量の推定を行うことができ、試験体の周囲がコンクリート等の固体で固められた状態においても、試験体とコンクリート等の固体との境界部分の腐食量を推定することができる。
【００７２】
実施の形態２．
実施の形態１では、任意波形発生部３１において変調バースト信号を発生し、この変調バースト信号のキャリア周波数を変えて探傷し、特徴周波数に対応する空隙の深さを示す空隙データから空隙１３の深さを推定した。この場合には、キャリア周波数を変えて探傷することにより周波数特性データを取得するので、腐食量の推定に時間がかかる。
【００７３】
そこで、本実施の形態２では、１つの励振信号の中に広い周波数帯域を持つ信号を用いて腐食量の推定を行う場合について説明する。なお、装置の構成は、図１と同じであるので省略し、動作について以下に説明する。
【００７４】
本実施の形態２における超音波探傷装置は、広い周波数帯域を持った信号で送受信用探触子１を励振し、送受信用探触子１で受信された反射波のエコーの周波数スペクトラムを信号処理部３４で算出する。このようにして、広い周波数帯域を持った１つの励振信号に基づく周波数スペクトラムから空隙１３の深さを推定すれば、変調バースト信号のキャリア周波数を変えて探傷を行う方法よりも、短時間で腐食量の結果が得られる。
【００７５】
図１１は、本発明の実施の形態２における任意波形発生部３１で発生される信号波形の説明図である。広い周波数帯域を持つ信号とは、図１１に示すようなスパイク状の信号である。本実施の形態２では、変調バースト信号のキャリア周波数を変えて探傷する代わりに、図１１に示すような広い周波数帯域を持つスパイク状の信号で送受信用探触子１を励振することで、空隙１３の深さを求めるものである。
【００７６】
図１２は、本発明の実施の形態２における超音波探傷装置の腐食量の求め方を説明するためのフローチャートである。なお、実施の形態１と同様に、計測開始の前に、送受信制御装置３は、空隙１３の深さが既知である試験体１１の反射波の周波数スペクトラムをあらかじめ求め、特徴周波数に対応する試験体１１の空隙１３の深さを空隙データとして記憶部３５にあらかじめ記憶しておく。この特徴周波数とは、反射波の周波数スペクトラムの特異点を示す周波数のことであり、例えば、極大値を示す周波数とすることができる。
【００７７】
ステップＳ１２０１において、任意波形発生部３１は、スパイク状の信号を発生させ、送信部３２に送信する。スパイク状の信号とは、図１１に示したような振幅が負の信号荷は限定されず、振幅が正であるような信号も含む。また、インパルス状の信号も、スパイク状の信号に含まれる。
【００７８】
次に、ステップＳ１２０２において、送信部３２は、任意波形発生部３１で発生したスパイク状の信号を増幅し、送受信用探触子１を励振する。送受信用探触子１の入射角は、板波が効率よく励振されるような角度に設定する。その結果、試験体１１中へは、板波が伝搬していく。
【００７９】
次に、ステップＳ１２０３において、送受信用探触子１および受信用探触子２で、伝搬する板波の反射波および透過波をエコーとして受信する。ここで、受信用探触子２の入射角は、送受信用探触子１の入射角と同じでも構わないし、異なっていても構わない。ただし、試験体１１中を伝搬してきた板波を効率よく受信できるような入射角に設定する。
【００８０】
次に、ステップＳ１２０４において、受信部３３は、送受信用探触子１および受信用探触子２で受信されたエコーを増幅し、信号処理部３４に送る。
【００８１】
次に、ステップＳ１２０５において、信号処理部３４は、増幅後の反射波のエコーおよび透過波のエコーを直接Ａ／Ｄ変換し、ディジタル信号に変換後の受信エコー信号のデータを、記憶部３５に記憶させる。
【００８２】
次に、ステップＳ１２０６において、信号処理部３４は、記憶部３５に記憶されている受信エコー信号を読み出す。
【００８３】
次に、ステップＳ１２０７において、信号処理部３４は、読み出した受信エコー信号に基づいて、受信用探触子２で透過波のエコーが受信されているか否かを判定する。具体的には、信号処理部３４は、エコーの高さが所定の閾値を超えているかどうかを判定し、閾値を超えていない場合には、異常状態であることをオペレータに対して知らせる。その後、ステップＳ１２１０において、オペレータは、装置のセットアップをやり直すこととなる。
【００８４】
一方、閾値を超えている場合には、信号処理部３４は、装置が正常に動作しているものとしてステップＳ１２０８以降の処理を行う。ステップＳ１２０８において、信号処理部３４は、読み出した反射波の受信エコー信号に対して周波数解析を行うことにより、送受信用探触子１で得られたエコーの周波数スペクトラムを求める。さらに、信号処理部３４は、周波数スペクトラムが極大値を示す周波数を特徴周波数として求める。
【００８５】
ここで、周波数スペクトラムを求める方法としては、高速フーリエ変換があるが、高速フーリエ変換を用いなくても、他の方法で求めることができるのであれば、他の方法を用いても構わない。また、高速フーリエ変換の場合、受信エコー信号に種々の窓関数（例えば、矩形、ハミング、ハニング、カイザー、など）を掛けることがしばしば行われるが、どのような窓関数を用いるかは、送受信用探触子１の周波数特性等によって適宜決める。
【００８６】
そして、最終的に、ステップＳ１２０９において、信号処理部３４は、反射波のエコーの周波数スペクトラムから特定された極大値を示す周波数に対応して、あらかじめ空隙データとして記憶部３５に記憶されている極大値を示す周波数（特徴周波数）に対応する空隙の深さから、空隙の深さを特定し、特定した空隙の深さを腐食の深さとして腐食量を推定する。
【００８７】
以上が、本発明の実施の形態２の超音波探傷装置による腐食の深さの推定を行う一連の処理であるが、ここで説明を補足する。実施の形態２では、スパイク状の信号を任意波形発生部３１で発生させるが、これは広い周波数帯域の信号を送受信用探触子１で励振し、広い周波数帯域の信号を送受信用探触子１および受信用探触子２で受信する必要があるためである。すなわち、試験体１１へ伝搬していく超音波の周波数スペクトラムが広帯域であればスパイク状の信号のこだわる必要はない。例えば、階段状の信号でも構わない。
【００８８】
さらに、本実施の形態２における周波数スペクトラムの特徴周波数は、実施の形態１で説明した反射波の周波数特性における特徴周波数と同様に、送受信用探触子１と試験体１１との接触状態にあまり依存せずに求めることができる。
【００８９】
さらに、送受信用探触子１および受信用探触子２の周波数特性であるが、これらは、実施の形態１と同様に腐食量による周波数スペクトラムの差異が明確になる程度の広帯域であることが望ましい。また、これらの探触子の周波数特性を補正してエコーの周波数スペクトラムを求め、この周波数スペクトラムから腐食量を求めても構わない。
【００９０】
また、実施の形態１と同様に、図の右側付近の腐食量を計測したい場合には、２つの探触子の設置位置を交換しても構わない。送受信用探触子１で受信される反射波のエコーを用いて計測するので、腐食の位置が送受信用探触子１に近いほど、ＳＮ比の高い信号が得られる。
【００９１】
また、コンクリート等の固体で覆われた部分の腐食の発生位置が不明である場合には、２つの探触子の設置位置を左右で交換した２通りの周波数スペクトラムのデータを取得して、腐食の深さを推定することもできる。あるいは、受信用探触子２に送受信用探触子１と同じような送受信機能を持たせ、送信部３２から切り換え操作を行うことによっても、２通りの周波数スペクトラムのデータを取得することができる。
【００９２】
さらに、ここでは特徴周波数として周波数スペクトラムの極大値を用いて腐食の深さを計測する方法について説明したが、周波数スペクトラムの特徴を用いた計測であれば、特徴周波数は極大値にこだわる必要はない。例えば、エコーの周波数スペクトラムを計算した結果、極小値を用いて腐食量が計測できるのであれば、極小値を特徴周波数として用いることもできる。あるいは、極大値と極小値との組み合わせから腐食量を推定することも可能である。
【００９３】
最後に、送受信用探触子１および受信用探触子２の入射角について説明する。これらの探触子の入射角は、実施の形態１と同様に、板波を効率よく送信および受信できるように設定する必要があるが、これは、試験体１１の厚さや周波数によって異なる。試験体１１の厚さや、送受信用探触子１および受信用探触子２が動作する周波数帯が変わると、これらに応じて適宜変える必要がある。
【００９４】
実施の形態２によれば、広い周波数帯域を持つ信号を用いて探傷を行い、周波数スペクトラムの特性から腐食の深さを推定することができる。さらに、周波数スペクトラムの特性から特定される特徴周波数は、探触子と試験体との接触状況に依存しない。これにより、探触子と試験体との接触状況を厳しく管理せずに腐食量の推定を行うことができ、試験体の周囲がコンクリート等の固体で固められた状態においても、試験体とコンクリート等の固体との境界部分の腐食量を推定することができる。
【００９５】
さらに、キャリア周波数を変えた複数の変調バースト信号を用いずに、広い周波数帯域を持つ１種類の励振信号を用いて腐食量の推定を行うことができるため、腐食量の推定にかかる時間を短縮することができる。
【図面の簡単な説明】
【００９６】
【図１】本発明の実施の形態１における超音波探傷装置の構成図である。
【図２】本発明の実施の形態１における任意波形発生部で発生される信号波形の説明図である。
【図３】本発明の実施の形態１における探傷に関するシミュレーション条件を示す図である。
【図４】本発明の実施の形態１におけるキャリア周波数ｆ０＝０．６ＭＨｚの変調バースト信号を仮定し、空隙の深さｄを２ｍｍとした場合の音場シミュレーション結果である。
【図５】本発明の実施の形態１におけるシミュレーションで得られた反射波のエコーおよび透過波のエコーを示す図である。
【図６】本発明の実施の形態１における板波の反射波および透過波の伝搬経路を示す図である。
【図７】本発明の実施の形態１における反射波のエコー高さの周波数特性を示す図である。
【図８】本発明の実施の形態１におけるキャリア周波数ｆ０＝０．８ＭＨｚの変調バースト信号を仮定し、空隙の深さｄを４ｍｍとした場合の音場シミュレーション結果である。
【図９】本発明の実施の形態１における透過波のエコー高さの周波数特性を示す図である。
【図１０】本発明の実施の形態１における超音波探傷装置の腐食量の求め方を説明するためのフローチャートである。
【図１１】本発明の実施の形態２における任意波形発生部で発生される信号波形の説明図である。
【図１２】本発明の実施の形態２における超音波探傷装置の腐食量の求め方を説明するためのフローチャートである。
【符号の説明】
【００９７】
１  送受信用探触子、２  受信用探触子、３  送受信制御装置、１１  試験体、１２  固体、３１  任意波形発生部、３２  送信部、３３  受信部、３４  信号処理部、３５  記憶部。
【図１】
2006162377.tif 000003
【図２】
2006162377.tif 000004
【図３】
2006162377.tif 000005
【図４】
2006162377.tif 000006
【図５】
2006162377.tif 000007
【図６】
2006162377.tif 000008
【図７】
2006162377.tif 000009
【図８】
2006162377.tif 000010
【図９】
2006162377.tif 000011
【図１０】
2006162377.tif 000012
【図１１】
2006162377.tif 000013
【図１２】
2006162377.tif 000014